(57)【特許請求の範囲】
【請求項１】
エンジンの制御装置であって、
エンジンの運転状態に基づいて、エンジンから出力されるトルクの変動に起因する車両の加速度変動が発生する可能性を判定する加速度変動判定手段と、
上記加速度変動判定手段によって加速度変動が発生する可能性があると判定された場合に、エンジン回転数及び／又はエンジン負荷に基づいて、アクセルペダルの操作に応じて設定される燃料噴射量を増量側に補正する燃料噴射量補正手段と、
上記燃料噴射量増量手段によって増量側に補正された燃料噴射量を噴射させるように燃料噴射弁を制御する燃料噴射制御手段と、
を有し、上記燃料噴射量補正手段は、エンジン負荷が所定値以上である場合にのみ、燃料噴射量を増量側に補正することを特徴とするエンジンの制御装置。
【請求項２】
上記燃料噴射量補正手段は、エンジン負荷が上記所定値以上である場合において、エンジン負荷が高くなるほど、燃料噴射量を増量側に補正する量を大きくする、請求項１に記載のエンジンの制御装置。
【請求項３】
過給機を備えるエンジンに適用され、
エンジン負荷が上記所定値以上である領域は、上記過給機により過給が行われる過給域である、請求項１又は２に記載のエンジンの制御装置。
【請求項４】
上記燃料噴射量補正手段は、エンジン回転数に応じて燃料噴射量を増量側に補正する量を、エンジン負荷に応じて燃料噴射量を増量側に補正する量よりも小さくする、請求項１乃至３のいずれか一項に記載のエンジンの制御装置。
【請求項５】
排気系の部品の温度上昇を抑制するために燃料噴射量を増量する温度上昇抑制用燃料増量手段を更に備え、
上記燃料噴射量補正手段は、上記加速度変動判定手段によって加速度変動が発生する可能性があると判定された場合であっても、上記温度上昇抑制用燃料増量手段により燃料噴射量が増量される場合には、燃料噴射量を増量側に補正することを禁止する、請求項１乃至４のいずれか一項に記載のエンジンの制御装置。
【請求項６】
上記加速度変動判定手段は、エンジン回転数が所定値以上で、且つエンジン負荷が所定値以上で、尚且つ車両の変速機がロックアップしている場合に、上記加速度変動が発生する可能性があると判定する、請求項１乃至５のいずれか一項に記載のエンジンの制御装置。
【請求項７】
上記燃料噴射量補正手段は、上記加速度変動判定手段によって加速度変動が発生する可能性があると判定された場合において、アクセルペダルの操作に応じて出力させるべきエンジントルクを低下させることで上記加速度変動を抑制可能である場合にのみ、燃料噴射量を増量側に補正する、請求項１乃至６のいずれか一項に記載のエンジンの制御装置。
【発明の詳細な説明】
【技術分野】
【０００１】
本発明は、エンジンの制御装置に係わり、特に、エンジンのトルク変動に起因する車両の加速度変動を抑制する制御を行うエンジンの制御装置に関する。
【背景技術】
【０００２】
従来から、エンジンからの動力伝達経路（例えばドライブシャフト）においてねじれ共振が生じて、車両に加速度変動（前後方向における振動）が発生することが知られている。例えば、特許文献１には、このようなねじれ共振の起点を検出したときに、エンジンの点火時期を遅角させたり燃料噴射量を調整したりしてエンジントルクを補正することで、ねじれ共振の振動を抑制する技術が開示されている。
【先行技術文献】
【特許文献】
【０００３】
【特許文献１】特開２００６−２７５０６０号公報
【発明の概要】
【発明が解決しようとする課題】
【０００４】
ところで、エンジンの高負荷域においては、筒内圧が高くなって燃料の沸点が上がり、燃料の気化率が低下する傾向にある。詳しくは、筒内において、圧力上昇に伴って温度上昇した場合には燃料の気化率が確保されるが、温度上昇に先立って圧力上昇すると（つまり温度上昇が圧力上昇に追い付かない場合）、燃料の気化率が低下する傾向にある。このように燃料の気化率が低下すると、筒内での燃焼が不安定になってトルク変動が生じて、車両に加速度変動が発生することがある。特に、このトルク変動が車体などの共振周波数と重なると、比較的大きな加速度変動が発生する。この場合、トルク変動に起因するドライブシャフトなどのねじれにより、比較的大きな加速度変動が車両の挙動として発生する。なお、上記した燃料の気化率は、筒内に噴射された全燃料量に対する気化した燃料量の割合を意味し、この気化には、燃料の霧化も含まれるものとする。
【０００５】
上記した特許文献１に記載された技術では、ねじれ共振による加速度変動が実際に発生した場合に、この加速度変動を抑制するようにエンジントルク制御を行っているため、加速度変動が頻発するような状況では、加速度変動を抑制するためのエンジントルク制御が頻繁に実行されて、ドライバビリティや燃費やエミッションなどが悪化してしまう。したがって、加速度変動が実際に発生したときに対処するよりも、加速度変動が発生する前に、これを未然に抑制するような制御を行うのが望ましいと考えられる。特に、上記したような燃料の気化率の低下による燃焼安定性の低下に起因する車両の加速度変動は、所定の運転状態において比較的頻繁に発生する傾向にあるので、この加速度変動を前もって抑制するための制御を行うのが望ましいと考えられる。
【０００６】
本発明は、上述した従来技術の問題点を解決するためになされたものであり、エンジンのトルク変動に起因する車両の加速度変動を事前に適切に抑制することができるエンジンの制御装置を提供することを目的とする。
【課題を解決するための手段】
【０００７】
上記の目的を達成するために、本発明は、エンジンの制御装置であって、エンジンの運転状態に基づいて、エンジンから出力されるトルクの変動に起因する車両の加速度変動が発生する可能性を判定する加速度変動判定手段と、加速度変動判定手段によって加速度変動が発生する可能性があると判定された場合に、エンジン回転数及び／又はエンジン負荷に基づいて、アクセルペダルの操作に応じて設定される燃料噴射量を増量側に補正する燃料噴射量補正手段と、燃料噴射量増量手段によって増量側に補正された燃料噴射量を噴射させるように燃料噴射弁を制御する燃料噴射制御手段と、を有し、燃料噴射量補正手段は、エンジン負荷が所定値以上である場合にのみ、燃料噴射量を増量側に補正することを特徴とする。
このように構成された本発明によれば、エンジンのトルク変動に起因する加速度変動（サージング）が発生する可能性がある場合に、エンジンの運転状態に基づいて燃料噴射量を増量するので、筒内で気化する燃料量を適切に確保して燃焼安定性を改善することができる。よって、燃焼安定性の低下によるトルク変動に起因する加速度変動を適切に抑制することができる。その結果、本発明によれば、未然に加速度変動を適切に抑制することができるので、上記した特許文献１に記載された技術のように加速度変動が実際に発生した場合に対処する方法と比較して、ドライバビリティや燃費やエミッションなどの悪化を抑制することが可能となる。
【０００８】
また、本発明によれば、高負荷域でのみ燃料噴射量を増量するので、つまり低負荷域では燃料噴射量を増量しないので、筒内圧が高い高負荷域での燃料の気化率の低下による燃焼安定性の低下を適切に改善しつつ、筒内圧が比較的低いために燃料の気化率が確保された低負荷域での無駄な燃料噴射量の増量を抑制することができる。つまり、低負荷域では、燃料の気化率が確保され燃焼が安定しているので、燃料噴射量の増量を禁止するようにして、燃費やエミッションなどの悪化を抑制することができる。
【０００９】
本発明において、好ましくは、燃料噴射量補正手段は、エンジン負荷が所定値以上である場合において、エンジン負荷が高くなるほど、燃料噴射量を増量側に補正する量を大きくする。
このように構成された本発明によれば、高負荷域では、エンジン負荷が高くなるほど筒内圧が高くなって燃料の気化率の低下度合いが大きくなるため、エンジン負荷が高くなるほど燃料噴射量を増量する量を大きくする。これにより、エンジン負荷に応じた適量の燃料を増量することができる。したがって、本発明によれば、高負荷域での燃焼を効果的に安定化させつつ、無駄な燃料の増量を抑制することができる。
【００１０】
本発明において、好ましくは、過給機を備えるエンジンに適用され、エンジン負荷が所定値以上である領域は、過給機により過給が行われる過給域である。
このように構成された本発明によれば、筒内圧が高くなる傾向にある過給域において燃料噴射量を増量するので、そのような過給域での燃料の気化率の低下による燃焼安定性の低下を効果的に抑制することができる。
【００１１】
本発明において、好ましくは、燃料噴射量補正手段は、エンジン回転数に応じて燃料噴射量を増量側に補正する量を、エンジン負荷に応じて燃料噴射量を増量側に補正する量よりも小さくする。
このように構成された本発明によれば、燃料の気化率の改善（つまり燃焼安定性の改善）にはほとんど効果がない、エンジン回転数に応じた燃料の増量を抑制することで、無駄な燃料の増量を抑制することができる。
【００１２】
本発明において、好ましくは、排気系の部品の温度上昇を抑制するために燃料噴射量を増量する温度上昇抑制用燃料増量手段を更に備え、燃料噴射量補正手段は、加速度変動判定手段によって加速度変動が発生する可能性があると判定された場合であっても、温度上昇抑制用燃料増量手段により燃料噴射量が増量される場合には、燃料噴射量を増量側に補正することを禁止する。
このように構成された本発明によれば、排気系の部品の温度上昇を抑制するために燃料噴射量が増量されている場合には、加速度変動抑制のための燃料増量を禁止するので、燃料増量が重複して実行されることを防止して、燃費やエミッションなどの悪化を抑制することができる。
【００１３】
本発明において、好ましくは、加速度変動判定手段は、エンジン回転数が所定値以上で、且つエンジン負荷が所定値以上で、尚且つ車両の変速機がロックアップしている場合に、加速度変動が発生する可能性があると判定する。
このように構成された本発明によれば、エンジン回転数及びエンジン負荷の条件に加えて、車両の変速機のロックアップ状態に基づき、加速度変動が発生する可能性を判定する。具体的には、エンジン回転数及びエンジン負荷が所定値以上であり、且つ変速機がロックアップしている場合にのみ、加速度変動が発生する可能性があると判定し、変速機がロックアップしていない場合には、エンジンのトルク変動が変速機によって吸収されるため加速度変動が発生する可能性はないと判定する。これにより、加速度変動の発生する可能性を適切に判断して、無駄な燃料の増量を抑制することができる。
【００１４】
本発明において、好ましくは、燃料噴射量補正手段は、加速度変動判定手段によって加速度変動が発生する可能性があると判定された場合において、アクセルペダルの操作に応じて出力させるべきエンジントルクを低下させることで加速度変動を抑制可能である場合にのみ、燃料噴射量を増量側に補正する。
このように構成された本発明によれば、エンジントルクを低下させることで加速度変動を抑制可能である場合にのみ、燃料噴射量を増量するので、加速度変動を抑制困難な状況での無駄な燃料噴射量の増量を抑制することができる。
【発明の効果】
【００１５】
本発明のエンジンの制御装置によれば、エンジンのトルク変動に起因する車両の加速度変動を事前に適切に抑制することができる。
【図面の簡単な説明】
【００１６】
【図１】本発明の実施形態によるエンジンの制御装置が適用されたエンジンシステムの概略構成図である。
【図２】本発明の実施形態によるエンジンの制御装置の電気的構成を示すブロック図である。
【図３】本発明の実施形態によるエンジン制御処理を示すフローチャートである。
【図４】本発明の実施形態による目標トルク補正処理を示すフローチャートである。
【図５】本発明の実施形態による燃料噴射量決定処理を示すフローチャートである。
【図６】本発明の実施形態による目標当量比マップに関して、同一のエンジン回転数で見たときのエンジン負荷と目標当量比との関係を示すグラフである。
【図７】本発明の実施形態による目標当量比マップに関して、同一のエンジン負荷で見たときのエンジン回転数と目標当量比との関係を示すグラフである。
【図８】本発明の実施形態による燃料噴射量決定処理を実行した場合のタイムチャートの一例である。
【発明を実施するための形態】
【００１７】
以下、添付図面を参照して、本発明の実施形態によるエンジンの制御装置について説明する。
【００１８】
＜システム構成＞
まず、図１及び図２を参照して、本発明の実施形態によるエンジンの制御装置が適用されたエンジンシステムについて説明する。図１は、本発明の実施形態によるエンジンの制御装置が適用されたエンジンシステムの概略構成図であり、図２は、本発明の実施形態によるエンジンの制御装置の電気的構成を示すブロック図である。
【００１９】
図１及び図２に示すように、エンジンシステム１００は、主に、外部から導入された吸気（空気）が通過する吸気通路１と、この吸気通路１から供給された吸気と、後述する燃料噴射弁１３から供給された燃料との混合気を燃焼させて車両の動力を発生するエンジン１０（具体的にはガソリンエンジン）と、このエンジン１０内の燃焼により発生した排気ガスを排出する排気通路２５と、エンジンシステム１００に関する各種の状態を検出するセンサ４０〜５３と、エンジンシステム１００全体を制御するＰＣＭ６０（エンジンの制御装置）と、を有する。なお、図１では、１つの気筒のみを示しているが、実際にはエンジン１０は複数の気筒（２以上の気筒）を有する。
【００２０】
吸気通路１には、上流側から順に、外部から導入された吸気を浄化するエアクリーナ３と、通過する吸気を昇圧させる、ターボ過給機４のコンプレッサ４ａと、外気や冷却水により吸気を冷却するインタークーラ５と、通過する吸気の量（吸入空気量）を調整するスロットルバルブ６と、エンジン１０に供給する吸気を一時的に蓄えるサージタンク７と、が設けられている。
【００２１】
また、吸気通路１には、コンプレッサ４ａによって過給された吸気の一部を、コンプレッサ４ａの上流側に還流するためのエアバイパス通路８が設けられている。具体的には、エアバイパス通路８の一端は、コンプレッサ４ａの下流側で且つスロットルバルブ６の上流側の吸気通路１に接続され、エアバイパス通路８の他端は、エアクリーナ３の下流側で且つコンプレッサ４ａの上流側の吸気通路１に接続されている。
【００２２】
このエアバイパス通路８には、エアバイパス通路８を流れる吸気の流量を開閉動作により調節するエアバイパスバルブ９が設けられている。エアバイパスバルブ９は、エアバイパス通路８を完全に閉じる閉状態と完全に開く開状態とに切り換え可能な、いわゆるオンオフバルブである。
【００２３】
エンジン１０は、主に、吸気通路１から供給された吸気を燃焼室１１内に導入する吸気バルブ１２と、燃焼室１１に向けて燃料を噴射する燃料噴射弁１３と、燃焼室１１内に供給された吸気と燃料との混合気に点火する点火プラグ１４と、燃焼室１１内での混合気の燃焼により往復運動するピストン１５と、ピストン１５の往復運動により回転されるクランクシャフト１６と、燃焼室１１内での混合気の燃焼により発生した排気ガスを排気通路２５へ排出する排気バルブ１７と、を有する。
【００２４】
また、エンジン１０は、吸気バルブ１２及び排気バルブ１７のそれぞれの動作タイミング（つまり開閉時期）を、可変バルブタイミング機構（Variable Valve Timing Mechanism）としての可変吸気バルブ機構１８及び可変排気バルブ機構１９によって可変に構成されている。可変吸気バルブ機構１８及び可変排気バルブ機構１９としては、公知の種々の形式を適用可能であるが、例えば電磁式又は油圧式に構成された機構を用いて、吸気バルブ１２及び排気バルブ１７の動作タイミングを変化させることができる。
【００２５】
排気通路２５には、上流側から順に、通過する排気ガスによって回転され、この回転によってコンプレッサ４ａを駆動するターボ過給機４のタービン４ｂと、例えばＮＯｘ触媒や三元触媒や酸化触媒などの、排気ガスの浄化機能を有する２つの触媒装置３５（３５ａ、３５ｂ）が設けられている。
【００２６】
また、排気通路２５上には、排気ガスの一部をＥＧＲガスとして吸気通路１に還流させるＥＧＲ装置２６が設けられている。ＥＧＲ装置２６は、一端がタービン４ｂの上流側の排気通路２５に接続され、他端がコンプレッサ４ａの下流側で且つスロットルバルブ１１の下流側の吸気通路１に接続されたＥＧＲ通路２７と、ＥＧＲガスを冷却するＥＧＲクーラ２８と、ＥＧＲ通路２７を流れるＥＧＲガス量（流量）を制御するＥＧＲバルブ２９と、を有する。このＥＧＲ装置２６は、いわゆる高圧ＥＧＲ装置（ＨＰＬ（High Pressure Loop）ＥＧＲ装置）に相当する。
【００２７】
また、排気通路２５には、排気ガスをターボ過給機４のタービン４ｂに通過させずに迂回させるタービンバイパス通路３０が設けられている。このタービンバイパス通路３０には、タービンバイパス通路３０を流れる排気ガスの流量を制御するウェイストゲートバルブ（以下「ＷＧバルブ」と称する）３１が設けられている。
【００２８】
また、排気通路２５においては、ＥＧＲ通路２７の上流側の接続部分とタービンバイパス通路３０の上流側の接続部分との間の通路が、第１通路２５ａと第２通路２５ｂとに分岐されている。第１通路２５ａは第２通路２５ｂよりも径が大きく、換言すると第２通路２５ｂは第１通路２５ａよりも径が小さく、第１通路２５ａには開閉バルブ２５ｃが設けられている。開閉バルブ２５ｃが開いている場合には、排気ガスは基本的には第１通路２５ａに流れ、開閉バルブ２５ｃが閉じている場合には、排気ガスは第２通路２５ｂにのみ流れる。そのため、開閉バルブ２５ｃが閉じている場合には、開閉バルブ２５ｃが開いている場合よりも、排気ガスの流速が大きくなる。開閉バルブ２５ｃは低回転域において閉じられ、流速が上昇された排気ガスをターボ過給機４のタービン４ｂに供給して、低回転域でもターボ過給機４による過給が行えるようになっている。
【００２９】
エンジンシステム１００には、当該エンジンシステム１００に関する各種の状態を検出するセンサ４０〜５３が設けられている。これらセンサ４０〜５３は、具体的には以下の通りである。アクセル開度センサ４０は、アクセルペダルの開度（ドライバがアクセルペダルを踏み込んだ量に相当する）であるアクセル開度を検出する。エアフローセンサ４１は、エアクリーナ３とコンプレッサ４ａとの間の吸気通路１を通過する吸気の流量に相当する吸入空気量を検出する。温度センサ４２は、エアクリーナ３とコンプレッサ４ａとの間の吸気通路１を通過する吸気の温度を検出する。圧力センサ４３は、過給圧を検出する。スロットル開度センサ４４は、スロットルバルブ６の開度であるスロットル開度を検出する。圧力センサ４５は、エンジン１０に供給される吸気の圧力であるインマニ圧力を検出する。クランク角センサ４６は、クランクシャフト１６におけるクランク角を検出する。吸気側カム角センサ４７は、吸気カムシャフトのカム角を検出する。排気側カム角センサ４８は、排気カムシャフトのカム角を検出する。温度センサ４９は、エンジン１０の冷却水の温度（水温）を検出する。ＷＧ開度センサ５０は、ＷＧバルブ３１の開度を検出する。Ｏ2センサ５１は、触媒装置３５ａの上流側の排気ガス中の酸素濃度を検出し、Ｏ2センサ５２は、触媒装置３５ａと触媒装置３５ｂとの間の排気ガス中の酸素濃度を検出する。車速センサ５３は、車両の速度（車速）を検出する。これら各種センサ４０〜５３は、それぞれ、検出したパラメータに対応する検出信号Ｓ１４０〜Ｓ１５３をＰＣＭ６０に出力する。
【００３０】
ＰＣＭ６０は、上述した各種センサ４０〜５３から入力された検出信号Ｓ１４０〜Ｓ１５３に基づいて、エンジンシステム１００内の構成要素に対する制御を行う。具体的には、図２に示すように、ＰＣＭ６０は、スロットルバルブ６に制御信号Ｓ１０６を供給して、スロットルバルブ６の開閉時期やスロットル開度を制御し、エアバイパスバルブ９に制御信号Ｓ１０９を供給して、エアバイパスバルブ９の開閉を制御し、ＷＧバルブ３１に制御信号Ｓ１３１を供給して、ＷＧバルブ３１の開度を制御し、燃料噴射弁１３に制御信号Ｓ１１３を供給して、燃料噴射量や燃料噴射タイミングを制御し、点火プラグ１４に制御信号Ｓ１１４を供給して、点火時期を制御し、可変吸気バルブ機構１８及び可変排気バルブ機構１９のそれぞれに制御信号Ｓ１１８、Ｓ１１９を供給して、吸気バルブ１２及び排気バルブ１７の動作タイミングを制御し、ＥＧＲバルブ２９に制御信号Ｓ１２９を供給して、ＥＧＲバルブ２９の開度を制御する。
【００３１】
具体的には、本実施形態では、ＰＣＭ６０は、エンジン１０の運転状態などに基づいて、エンジン１０のトルク変動に起因する車両の加速度変動（以下では適宜「サージング」と呼ぶ。）が発生する可能性を判定する。このサージングを引き起こすトルク変動には、エンジン１０での燃焼安定性の低下に起因するものや、エンジン１０での各気筒から出力されるトルクのばらつきなどを含むものとする。特に、本実施形態では、ＰＣＭ６０は、筒内での燃料の気化率の低下による燃焼安定性の低下に起因するサージングが発生する可能性を判定する。そして、ＰＣＭ６０は、このようなサージングが発生する可能性があると判定した場合に、エンジン回転数及びエンジン負荷に基づいて、アクセル開度などに応じて噴射すべき燃料噴射量を増量側に補正して、この増量側に補正された燃料噴射量を噴射させるように燃料噴射弁１３を制御することで、サージングを未然に抑制するようにする。他方で、ＰＣＭ６０は、サージングが発生した場合には、エンジン１０のトルク変動を抑制するように、点火プラグ１４による点火時期を遅角させる制御を行う。
このように、ＰＣＭ６０は、本発明における「エンジンの制御装置」に相当し、本発明における「加速度変動判定手段」、「燃料噴射量補正手段」、「燃料噴射制御手段」及び「温度上昇抑制用燃料増量手段」として機能する。
【００３２】
なお、これらのＰＣＭ６０の各構成要素は、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを記憶するためのＲＯＭやＲＡＭの如き内部メモリを備えるコンピュータにより構成される。
【００３３】
＜エンジン制御処理＞
次に、図３を参照して、本発明の実施形態において行われるエンジン１０の基本制御について説明する。図３は、本発明の実施形態によるエンジン制御処理を示すフローチャートである。このフローは、車両のイグニッションがオンにされ、ＰＣＭ６０に電源が投入された場合に起動され、所定の周期で繰り返し実行される。
【００３４】
エンジン制御処理が開始されると、ステップＳ１０１において、ＰＣＭ６０は、車両における各種情報を取得する。具体的には、ＰＣＭ６０は、アクセル開度センサ４０によって検出されたアクセル開度や、車速センサ５３によって検出された車速や、クランク角センサ４６によって検出されたクランク角に対応するエンジン回転数や、車両の変速機に現在設定されているギヤ段などを取得する。
【００３５】
次いで、ステップＳ１０２では、ＰＣＭ６０は、ステップＳ１０１において取得された車両の運転状態に基づき、目標加速度を設定する。具体的には、ＰＣＭ６０は、種々の車速及び種々のギヤ段について規定された加速度特性マップ（予め作成されてメモリなどに記憶されている）の中から、現在の車速及びギヤ段に対応する加速度特性マップを選択し、選択した加速度特性マップを参照して、アクセル開度センサ４０によって検出されたアクセル開度に対応する目標加速度を決定する。
【００３６】
次いで、ステップＳ１０３では、ＰＣＭ６０は、ステップＳ１０２で決定した目標加速度を実現するためのエンジン１０の目標トルクを決定する。この場合、ＰＣＭ６０は、現在の車速、ギヤ段、路面勾配、路面μなどに基づき、エンジン１０が出力可能なトルクの範囲内で目標トルクを決定する。
【００３７】
次いで、ステップＳ１０４では、ＰＣＭ６０は、ステップＳ１０３で決定した目標トルクを補正する処理（目標トルク補正処理）を実行する。具体的には、ＰＣＭ６０は、この目標トルク補正処理においては、上記したようなサージング発生する可能性がある場合に、サージングの発生を未然に抑制すべく、ステップＳ１０３で決定した目標トルクを低下する補正を行う。なお、目標トルク補正処理については、後のセクションにおいて図４を参照して詳述する。
【００３８】
次いで、ステップＳ１０５では、ＰＣＭ６０は、ステップＳ１０１で取得した現在のエンジン回転数及びステップＳ１０３で決定した目標トルク（ステップＳ１０４で補正した目標トルクも含む。以下同様とする。）を含むエンジン１０の運転状態に応じて、点火プラグ１４による目標点火時期を設定する。具体的には、ＰＣＭ６０は、目標トルクにフリクションロスやポンピングロスによる損失トルクを加味した目標図示トルクを算出し、種々の充填効率及び種々のエンジン回転数について点火時期と図示トルクとの関係を規定した点火時期マップの中から、現在のエンジン回転数に対応し且つＭＢＴ近傍で目標図示トルクが得られる点火時期マップを選択し、選択した点火時期マップを参照して、目標図示トルクに対応する目標点火時期を設定する。なお、ＰＣＭ６０は、ノッキングが生じている場合には、このように設定した目標点火時期を遅角側に補正するのがよい。
【００３９】
次いで、ステップＳ１０６では、ＰＣＭ６０は、目標トルクをエンジン１０に出力させるための目標充填効率を設定する。具体的には、ＰＣＭ６０は、上記した目標図示トルクを出力するために必要な要求平均有効圧力を求めると共に、この要求平均有効圧力に相当する熱量（要求熱量）を求め、上記した目標点火時期に設定された条件での熱効率（基準熱効率）と、エンジン１０の実際の運転条件による熱効率（実熱効率）との大小関係に応じて、基準熱効率及び実熱効率のいずれかと要求熱量とに基づき目標充填効率を求める。なお、ＰＣＭ６０は、要求平均有効圧力などに応じて、こうして求めた目標充填効率を適宜制限してもよい。
【００４０】
次いで、ステップＳ１０７では、ＰＣＭ６０は、ステップＳ１０６で設定した目標充填効率に相当する空気がエンジン１０に導入されるように、エアフローセンサ４１が検出した空気量を考慮して、スロットルバルブ６の開度と、可変吸気バルブ機構１８を介した吸気バルブ１２の開閉時期とを決定する。
【００４１】
次いで、ステップＳ１０８では、ＰＣＭ６０は、ステップＳ１０６で設定した目標充填効率に基づいて燃料噴射量を決定する処理（燃料噴射量決定処理）を行う。原則、ＰＣＭ６０は、目標充填効率に基づいて、理論空燃比（λ＝１）となるような燃料噴射量を決定する。特に、本実施形態では、ＰＣＭ６０は、上記したようなサージング発生する可能性がある場合には、サージングの発生を未然に抑制すべく、エンジン回転数及びエンジン負荷に基づき、理論空燃比となる燃料噴射量を増量側に補正する。なお、燃料噴射量決定処理については、後のセクションにおいて図５を参照して詳述する。
【００４２】
次いで、ステップＳ１０９では、ＰＣＭ６０は、ステップＳ１０７で決定したスロットル開度及び吸気バルブ１２の開閉時期に基づき、スロットルバルブ６及び可変吸気バルブ機構１８を制御するとともに、ステップＳ１０８で決定した燃料噴射量（増量側に補正された燃料噴射量も含む）に基づき、燃料噴射弁１３を制御する。
【００４３】
また、ステップＳ１０７〜Ｓ１０９の処理と並行して、ステップＳ１１０において、ＰＣＭ６０は、ターボ過給機４による目標過給圧を取得する。例えば、エンジン回転数やエンジン負荷や目標トルクなどに対して設定すべき目標過給圧が対応付けられたマップが予めメモリ等に記憶されており、ＰＣＭ６０は、そのマップを参照して、現時点でのエンジン回転数やエンジン負荷や目標トルクなどに対応する目標過給圧を取得する。このような目標過給圧のマップでは、少なくともエンジン１０の高負荷域において、ターボ過給機４による過給が実施されるように目標過給圧が規定されている。
【００４４】
次いで、ステップＳ１１１において、ＰＣＭ６０は、ステップＳ１１０において取得した目標過給圧を実現するための、ＷＧバルブ３１の開度を決定する。
【００４５】
次いで、ステップＳ１１２において、ＰＣＭ６０は、ステップＳ１１１において設定した開度に基づき、ＷＧバルブ３１のアクチュエータを制御する。この場合、ＰＣＭ１０は、ステップＳ１１１において設定した開度に応じてＷＧバルブ３１のアクチュエータを制御すると共に、圧力センサ４３により検出される過給圧を、ステップＳ１１０において取得した目標過給圧に近づけるようにアクチュエータをフィードバック制御する。
【００４６】
また、ステップＳ１０７〜Ｓ１０９及びステップＳ１１０〜Ｓ１１２の処理と並行して、ステップＳ１１３において、ＰＣＭ６０は、ステップＳ１０５において設定した目標点火時期にて点火が行われるように、点火プラグ１４を制御する。
【００４７】
＜目標トルク補正処理＞
次に、図４を参照して、本発明の実施形態による目標トルク補正処理について説明する。図４は、本発明の実施形態による目標トルク補正処理を示すフローチャートである。この目標トルク補正処理は、図３に示したエンジン制御処理でのステップＳ１０４においてＰＣＭ６０によって実行される。
【００４８】
まず、ステップＳ２０１では、ＰＣＭ６０は、車両における各種情報を取得する。具体的には、ＰＣＭ６０は、圧力センサ４３によって検出された圧力（過給圧）や、車速センサ５３によって検出された車速や、クランク角センサ４６によって検出されたクランク角に対応するエンジン回転数などを取得する。
【００４９】
次いで、ステップＳ２０２では、ＰＣＭ６０は、現在のエンジン１０等の運転領域がサージング発生領域であり、且つサージングを抑制可能な状態であるか否かを判定する。具体的には、ＰＣＭ６０は、エンジン回転数が所定値以上で且つエンジン負荷が所定値以上であり、つまりエンジン１０の運転領域が比較的に高回転域且つ高負荷域であり、尚且つ、車両の変速機がロックアップしている場合、つまりトルクコンバータのロックアップ機構がロックアップ状態（即ちエンジントルクがトルクコンバータを介さずに直接的に伝達される状態）である場合に、現在の運転領域がサージング発生領域であると判定する。
このような判定を行っているのは、比較的に高回転域且つ高負荷域では、筒内圧が高くなって燃料の気化率が低下して、筒内での燃焼が不安定になってトルク変動が生じることで、車両にサージングが発生する可能性が高いからである。他方で、トルクコンバータがロックアップしていない場合には（即ちエンジントルクがトルクコンバータを介して伝達される状態）、たとえサージングが発生したとしてもトルク変動がトルクコンバータによって吸収されるので、ＰＣＭ６０は、現在の運転領域がサージング発生領域でないと判定する。つまり、ＰＣＭ６０は、比較的に高回転域且つ高負荷域において、トルクコンバータがロックアップしている場合にのみ、現在の運転領域がサージング発生領域であると判定する。
【００５０】
また、ステップＳ２０２において、ＰＣＭ６０は、上記のサージング発生領域の判定に加えて、エンジントルクを低下させることでサージングを抑制可能な状態であるか否かを判定している。このような判定を行うことで、サージングを抑制可能な状態でない場合におけるエンジントルクの無駄な低下を抑制して、ドライバビリティや燃費の悪化を抑制している。具体的には、ＰＣＭ６０は、アクセル開度等に応じた目標トルクを低下させることで、エンジン１０のトルク変動に起因するドライブシャフトのねじれ共振を抑制可能であるか否かを判定する。例えば、ＰＣＭ６０は、ドライブシャフトのねじれ共振が発生したときのエンジントルクの低下量と、点火時期をできるだけ遅角させたときのエンジントルクの低下量とを比較して、サージングを抑制可能な状態であるか否かを判定する。
【００５１】
ステップＳ２０２の判定の結果、現在の運転領域がサージング発生領域であり且つサージングを抑制可能な状態であると判定された場合（ステップＳ２０２：Ｙｅｓ）、ステップＳ２０３に進み、ＰＣＭ６０は、サージングを未然に抑制するためのサージング抑制フラグをオンにする。そして、処理はステップＳ２０４に進む。他方で、現在の運転領域がサージング発生領域であり且つサージングを抑制可能な状態であると判定されなかった場合（ステップＳ２０２：Ｎｏ）、つまり現在の運転領域がサージング発生領域でない場合若しくはサージングを抑制可能な状態でない場合、ステップＳ２０６に進み、ＰＣＭ６０は、サージング抑制フラグをオフにする。そして、ＰＣＭ６０は、目標トルク補正処理を終了する。この場合には、図３のステップＳ１０３で決定された目標トルクがそのまま適用されることとなる。
【００５２】
次いで、ステップＳ２０４では、ＰＣＭ６０は、車速センサ５３によって検出された車速（車輪速に相当）やギヤ比などからエンジン回転数を算出し、このエンジン回転数と、クランク角センサ４６によって検出されたクランク角に対応するエンジン回転数（実エンジン回転数）との偏差に基づき、ドライブシャフトのねじれに因るトルク低下量を算出する。これらのエンジン回転数の偏差は、ドライブシャフトのねじれに相当するものであり、ＰＣＭ６０は、このエンジン回転数の偏差に一義的に対応するトルク低下量（つまりドライブシャフトがねじれることで車輪にまで伝達されなかったトルク）を求める。
【００５３】
次いで、ステップＳ２０５では、ＰＣＭ６０は、図３のステップＳ１０３で決定された目標トルクを、ステップＳ２０４で算出したトルク低下量によって補正する。具体的には、ＰＣＭ６０は、図３のステップＳ１０３で決定された目標トルクから、ステップＳ２０４で算出したトルク低下量を減算したトルクを、新たな目標トルクとして設定する。このような目標トルクを適用することで、ドライブシャフトのねじれを元に戻すようにする、換言するとドライブシャフトのねじれを弱めるようにする。
【００５４】
以上述べた目標トルク補正処理の終了後、ＰＣＭ６０は、図３のステップＳ１０５以降の処理を行う。
【００５５】
なお、上記した実施形態では、エンジン回転数の偏差に応じたトルク低下量を算出して、このトルク低下量だけ目標トルクを低下させる補正を行っていたが、これは、ドライブシャフトが車両の推進方向にねじれることを想定したものであった（この場合、実エンジン回転数が車速から算出されたエンジン回転数よりも大きくなる）。しかしながら、例えば車両が坂道を下る場合などには、ドライブシャフトが車両の推進方向とは反対方向にねじれることがあり（実エンジン回転数が車速から算出されたエンジン回転数よりも小さくなる）、この場合には、エンジン回転数の偏差に応じたトルク増加量を算出して、このトルク増加量だけ目標トルクを増加させる補正を行うのがよい。
【００５６】
＜燃料噴射量決定処理＞
次に、図５を参照して、本発明の実施形態による燃料噴射量決定処理について説明する。図５は、本発明の実施形態による燃料噴射量決定処理を示すフローチャートである。この燃料噴射量決定処理は、図３に示したエンジン制御処理でのステップＳ１０８においてＰＣＭ６０によって実行される。
【００５７】
まず、ステップＳ３０１では、ＰＣＭ６０は、車両における各種情報を取得する。具体的には、ＰＣＭ６０は、圧力センサ４３によって検出された圧力（過給圧）や、車速センサ５３によって検出された車速や、クランク角センサ４６によって検出されたクランク角に対応するエンジン回転数や、図３のステップＳ１０６で設定された目標充填効率などを取得する。
【００５８】
次いで、ステップＳ３０２では、ＰＣＭ６０は、図３のステップＳ１０６で設定された目標充填効率に基づいて、理論空燃比（λ＝１）となるような燃料噴射量を決定する。
【００５９】
次いで、ステップＳ３０３では、ＰＣＭ６０は、図４のステップＳ２０２と同様にして、現在のエンジン１０等の運転領域がサージング発生領域であり、且つサージングを抑制可能な状態であるか否かを判定する。具体的には、ＰＣＭ６０は、エンジン回転数と、エンジン負荷と、車両の変速機のロックアップ状態とに基づき、現在の運転領域がサージング発生領域であるか否かを判定すると共に、アクセル開度などに応じた目標トルクを低下させることでサージングを抑制可能な状態であるか否かを判定する。
【００６０】
ステップＳ３０３の判定の結果、現在の運転領域がサージング発生領域であり且つサージングを抑制可能な状態であると判定された場合（ステップＳ３０３：Ｙｅｓ）、ステップＳ３０４に進む。これに対して、現在の運転領域がサージング発生領域であり且つサージングを抑制可能な状態であると判定されなかった場合（ステップＳ３０３：Ｎｏ）、つまり現在の運転領域がサージング発生領域でない場合若しくはサージングを抑制可能な状態でない場合、ＰＣＭ６０は、燃料噴射量決定処理を終了する。この場合には、ステップＳ３０２で決定された燃料噴射量が適用されることとなる。
【００６１】
次いで、ステップＳ３０４では、ＰＣＭ６０は、サージングを未然に抑制すべく、ステップＳ３０２で決定した燃料噴射量を増量するための目標当量比（燃料増量率に相当する）を設定する。こうすることで、筒内での燃料の気化率の低下分だけ筒内に噴射する燃料を増量して、筒内での所望の量（燃焼を安定化するのに十分な量）の燃料の気化を確保することで、燃焼を安定化させてサージングを抑制するようにしている。具体的には、エンジン回転数及びエンジン負荷に対して設定すべき目標当量比が規定されたマップ（目標当量比マップ）を事前に規定しておき、ＰＣＭ６０は、そのような目標当量比マップを参照して、現在のエンジン回転数及びエンジン負荷に対応する目標当量比を設定する。この目標当量比マップについては、後のセクションにおいて図６及び図７を参照して詳述する。なお、目標当量比は、元の燃料噴射量（ステップＳ３０２で決定した燃料噴射量）に対する増量後の燃料噴射量の比率であり、基本的には１以上の値に設定される。
【００６２】
次いで、ステップＳ３０５では、ＰＣＭ６０は、ステップＳ３０２で決定した燃料噴射量を、ステップＳ３０４で設定した目標当量比に基づき補正する。具体的には、ＰＣＭ６０は、ステップＳ３０２で決定した燃料噴射量に対してステップＳ３０４で設定した目標当量比（１以上の値）を乗算することで、補正した燃料噴射量（基本的には増量した燃料噴射量）を決定する。
【００６３】
以上述べた燃料噴射量決定処理の終了後、ＰＣＭ６０は、図３のステップＳ１０９以降の処理を行う。
【００６４】
＜目標当量比設定マップ＞
次に、図６及び図７を参照して、本発明の実施形態による目標当量比マップについて具体的に説明する。上述したように、目標当量比マップは、エンジン回転数及びエンジン負荷に対して設定すべき目標当量比（燃料増量率）が事前に規定されたマップである。このように目標当量比マップを規定するエンジン回転数及びエンジン負荷は、それぞれ、上記したサージング発生領域を判定するために用いたエンジン回転数の所定値及びエンジン負荷の所定値よりも高いものとする（図４のステップＳ２０２及び図５のステップＳ３０３参照）。
【００６５】
図６は、本発明の実施形態による目標当量比マップに規定された、エンジン負荷と目標当量比との関係を示している。具体的には、図６は、目標当量比マップに関して、同一のエンジン回転数で見たときのエンジン負荷（横軸）と目標当量比（縦軸）との関係を示すグラフである。
【００６６】
図６に示すように、本実施形態では、同一のエンジン回転数で見たときに、エンジン負荷Ｌ１未満の低負荷域Ｒ１１では、エンジン負荷の大きさによらずに一定の目標当量比に設定されるように、具体的には「１」に設定されように、目標当量比設定マップが規定されている。また、本実施形態では、エンジン負荷Ｌ１以上の高負荷域Ｒ１２では、エンジン負荷が高くなるほど目標当量比が大きくなるように、目標当量比設定マップが規定されている。つまり、低負荷域Ｒ１１では、燃料噴射量が増量されず（理論空燃比となるような燃料噴射量がそのまま適用される）、高負荷域Ｒ１２では、燃料噴射量が増量され、この燃料噴射量を増量する量が、エンジン負荷が高くなるほど大きくなるように、目標当量比設定マップが規定されている。
なお、例えば、低負荷域Ｒ１１はターボ過給機４による過給が行われない非過給域に相当し、高負荷域Ｒ１２はターボ過給機４による過給が行われる過給域に相当する。
【００６７】
図６に示すように目標当量比設定マップを規定している理由は、以下の通りである。高負荷域Ｒ１２では、筒内圧が高くなって燃料の沸点が上がり、燃料の気化率が低下することで、筒内での燃焼が不安定になってサージングが発生する傾向にある。そのため、本実施形態では、高負荷域Ｒ１２では、筒内での所望の量の燃料の気化を確保して燃焼安定性を改善すべく、燃料の気化率の低下分だけ筒内に噴射する燃料を増量するように、１よりも大きな目標当量比に設定している。特に、高負荷域Ｒ１２では、エンジン負荷が高くなるほど筒内圧が高くなって燃料の気化率の低下度合いが大きくなるので、エンジン負荷が高くなるほど目標当量比を大きくして、燃料噴射量を増量する量を大きくしている。一方で、低負荷域Ｒ１１では、基本的には、筒内圧が比較的低いため、燃料の気化率の低下による燃焼安定性の低下に起因するサージングは発生しない。そのため、低負荷域Ｒ１１で発生するサージングに対しては、燃料噴射量を増量してもほとんど効果がない。したがって、本実施形態では、低負荷域Ｒ１１では、燃料噴射量を増量しないように、目標当量比を１に設定している。
【００６８】
次に、図７は、本発明の実施形態による目標当量比マップに規定された、エンジン回転数と目標当量比との関係を示している。具体的には、図７は、目標当量比マップに関して、上記したエンジン負荷Ｌ１以上の高負荷域Ｒ１２における同一のエンジン負荷で見たときの、エンジン回転数（横軸）と目標当量比（縦軸）との関係を示すグラフである。
【００６９】
図７に示すように、本実施形態では、同一のエンジン負荷で見たときに、エンジン回転数Ｎ１未満の低回転域Ｒ２１では、エンジン回転数の大きさによらずに、１よりも大きな一定の目標当量比に設定され、エンジン回転数Ｎ１以上の高回転域Ｒ２２では、エンジン回転数の大きさによらずに目標当量比が１に設定されるように、目標当量比設定マップが規定されている。つまり、低回転域Ｒ２１では、基本的には燃料噴射量が増量され、高回転域Ｒ２２では、燃料噴射量が増量されないように（理論空燃比となるような燃料噴射量がそのまま適用される）、目標当量比設定マップが規定されている。
【００７０】
図７に示すように目標当量比設定マップを規定している理由は、以下の通りである。燃料の気化率の低下による燃焼安定性の低下に起因するサージングは、エンジン回転数の影響をほとんど受けない。具体的には、エンジン回転数の変化に応じて燃料の気化率はほとんど変化しない。即ち、エンジン回転数に応じて燃料噴射量を増量させる量を変化させても、燃焼安定性の改善（サージング抑制）にはほとんど効果がない。そのため、本実施形態では、基本的には、上記したようにエンジン負荷のみに応じて目標当量比を変化させることとし、エンジン回転数に応じては目標当量比を変化させないようにしている。
【００７１】
他方で、エンジン回転数Ｎ１以上の高回転域Ｒ２２且つエンジン負荷Ｌ１以上の高負荷域Ｒ１２では、ＰＣＭ６０は、排気系の部品（例えば触媒装置３５など）の温度上昇を抑制するために燃料噴射量を増量する制御（温度上昇抑制用燃料増量）を実行する。このように燃料噴射量を増量することで、増量した燃料が気化するときの気化熱を利用して、排気系の部品を冷却（熱害防止）するようにしている。したがって、本実施形態では、温度上昇抑制用燃料増量が実行されている場合には、つまり高回転域Ｒ２２且つ高負荷域Ｒ１２においては、燃料増量が重複して実行されないようにすべく、サージング抑制のための燃料増量を禁止するように目標当量比を１に設定している。このように、本実施形態では、低回転域Ｒ２１でのみ燃料増量を行うように１よりも大きな一定の目標当量比に設定し、高回転域Ｒ２２では燃料増量を行わないように目標当量比を１に設定している。
【００７２】
なお、以上述べた目標当量比設定マップに規定する目標当量比の値は、サージングが許容範囲内となる燃焼安定性が得られる燃料噴射量を増量する量を実験などにより計測し、この計測結果を踏まえて、エンジン１０の過渡時における実際の空燃比変動分を考慮して設定するのがよい。
【００７３】
＜タイムチャート＞
次に、図８を参照して、上記した本発明の実施形態による燃料噴射量決定処理（図５参照）を実行した場合の結果について説明する。図８は、本発明の実施形態による燃料噴射量決定処理を実行した場合のタイムチャートの一例を示す。具体的には、図８では、上から順に、エンジン回転数、車両加速度、充填効率、目標当量比、実際の当量比（実当量比）、サージング抑制フラグ、のそれぞれの時間変化を示している。また、図８において、実線のグラフは、本実施形態による燃料噴射量決定処理を実行した場合の結果を示している。また、破線のグラフは、本実施形態による燃料噴射量決定処理を実行しなかった場合（つまりサージング抑制のための燃料増量を実行しなかった場合）の結果を、比較例として示している。
【００７４】
図８に示すように、現在の運転領域がサージング発生領域であり且つサージングを抑制可能な状態であると判定されて、サージング抑制フラグがオンにされた後に、本実施形態による燃料噴射量決定処理を実行した場合には、燃料噴射量を増量するように目標当量比が１よりも大きな値に設定される。具体的には、本実施形態によれば、目標当量比設定マップ（図６参照）に基づき、エンジン負荷の上昇（つまり充填効率の上昇）に伴って、目標当量比が徐々に増加される。他方で、比較例では、目標当量比が１に維持され、燃料噴射量は増量されない。
【００７５】
このような本実施形態によれば、比較例と比較して、車両の加速度の変動（サージング）が効果的に抑制されていることがわかる。具体的には、加速度変動の振幅の大きさが、比較例よりも本実施形態のほうが小さくなっていることがわかる。こうなったのは、本実施形態によれば、目標当量比を１よりも大きな値に設定して燃料噴射量を増量したことで、筒内で気化する燃料量が適切に確保されて燃焼安定性が改善したからである。
【００７６】
＜作用効果＞
次に、本発明の実施形態によるエンジンの制御装置の作用効果について説明する。
【００７７】
本実施形態によれば、エンジン１０のトルク変動に起因するサージング（加速度変動）が発生する可能性がある場合に、エンジン回転数及びエンジン負荷に基づいて燃料噴射量を増量するので、筒内で気化する燃料量を適切に確保して燃焼安定性を改善することができる。よって、燃焼安定性の低下によるトルク変動に起因するサージングを適切に抑制することができる。その結果、本実施形態によれば、未然にサージングを適切に抑制することができるので、上記した特許文献１に記載された技術のようにサージングが実際に発生した場合に対処する方法と比較して、ドライバビリティや燃費やエミッションなどの悪化を抑制することが可能となる。
【００７８】
また、本実施形態によれば、高負荷域Ｒ１２でのみ燃料噴射量を増量するので、つまり低負荷域Ｒ１１では燃料噴射量を増量しないので、筒内圧が高い高負荷域Ｒ１２での燃料の気化率の低下による燃焼安定性の低下に起因するサージングを適切に抑制しつつ、筒内圧が比較的低いために燃料の気化率が確保された低負荷域Ｒ１１での無駄な燃料噴射量の増量を抑制することができる。つまり、低負荷域Ｒ１１では、燃料の気化率が確保され燃焼が安定しているので、燃料噴射量の増量を禁止するようにして、燃費やエミッションなどの悪化を抑制することができる。
【００７９】
また、本実施形態によれば、高負荷域Ｒ１２では、エンジン負荷が高くなるほど筒内圧が高くなって燃料の気化率の低下度合いが大きくなるため、エンジン負荷が高くなるほど燃料噴射量を増量する量を大きくする。これにより、エンジン負荷に応じた適量の燃料を増量することができる。したがって、無駄な燃料の増量を抑制しつつ、高負荷域Ｒ１２での燃焼を効果的に安定化させることができる。
【００８０】
また、本実施形態によれば、筒内圧が高くなる傾向にある過給域としての高負荷域Ｒ１２において燃料噴射量を増量するので、そのような過給域での燃料の気化率の低下による燃焼安定性の低下を効果的に抑制することができる。
【００８１】
また、本実施形態では、エンジン負荷のみに応じて燃料噴射量を増量する量を変化させることとし、エンジン回転数に応じては燃料噴射量を増量する量を変化させないようにする。つまり、燃料の気化率の改善（つまり燃焼安定性の改善）にはほとんど効果がない、エンジン回転数に応じた燃料の増量を禁止するので、無駄な燃料の増量を抑制することができる。
【００８２】
また、本実施形態によれば、排気系の部品の温度上昇を抑制するために燃料噴射量を増量する制御（温度上昇抑制用燃料増量）が実行されている場合には、サージング抑制のための燃料増量を禁止するので、燃料増量が重複して実行されることを防止して、燃費やエミッションなどの悪化を抑制することができる。
【００８３】
また、本実施形態では、エンジン回転数及びエンジン負荷の条件に加えて、車両の変速機のロックアップ状態に基づき、サージングが発生する可能性を判定する。具体的には、エンジン回転数及びエンジン負荷が所定値以上であり、且つ変速機がロックアップしている場合にのみ、サージングが発生する可能性があると判定し、変速機がロックアップしていない場合には、エンジン１０のトルク変動が変速機によって吸収されるためサージングが発生する可能性はないと判定する。これにより、サージングの発生する可能性を適切に判断して、無駄な燃料の増量を抑制することができる。
【００８４】
また、本実施形態では、エンジントルクを低下させることでサージングを抑制可能である場合にのみ、燃料噴射量を増量するので、サージングを抑制困難な状況での無駄な燃料噴射量の増量を抑制することができる。
【符号の説明】
【００８５】
１  吸気通路
４  ターボ過給機
４ａ  コンプレッサ
４ｂ  タービン
６  スロットルバルブ
１０  エンジン
１１  燃焼室
１２  吸気バルブ
１３  燃料噴射弁
１４  点火プラグ
１７  排気バルブ
２５  排気通路
２６  ＥＧＲ装置
３５ａ、３５ｂ  触媒装置
６０  ＰＣＭ
１００  エンジンシステム
【図１】
0006350974.tif 000002
【図２】
0006350974.tif 000003
【図３】
0006350974.tif 000004
【図４】
0006350974.tif 000005
【図５】
0006350974.tif 000006
【図６】
0006350974.tif 000007
【図７】
0006350974.tif 000008
【図８】
0006350974.tif 000009